(57)【要約】【課題】利用者が処理の実行を指示した際に用いていた端末装置又は画像処理装置ではなくとも、当該処理に関連する画像処理装置からの通知の確認を可能とすること【解決手段】本発明の画像処理装置は、ネットワークを介した端末装置からの接続を受け付ける接続受付手段と、ユーザインターフェイス画面を生成するユーザインターフェイス画面生成手段と、接続されている端末装置及び前記端末装置から実行指示を受けた処理に関する情報を取得する情報取得手段と、処理の実行指示の入力操作がなされた前記端末装置である第一の端末装置とは異なる、第二の端末装置のユーザインターフェイス画面に、前記処理に関連する情報を表示するよう制御する、制御手段と、を具えている。【選択図】図２
2018061108.tif 000002
【特許請求の範囲】
【請求項１】
ネットワークを介した端末装置からの接続を受け付ける接続受付手段と、
ユーザインターフェイス画面を生成するユーザインターフェイス画面生成手段と、
接続されている端末装置及び前記端末装置から実行指示を受けた処理に関する情報を取得する情報取得手段と、
処理の実行指示の入力操作がなされた前記端末装置である第一の端末装置とは異なる、第二の端末装置のユーザインターフェイス画面に、前記処理に関連する情報を表示するよう制御する、制御手段と、
を具えた画像処理装置。
【請求項２】
前記情報取得手段が、更に利用者のアカウントの認証情報を取得するものであり、
前記処理の実行指示が入力された際のアカウントで認証されているユーザインターフェイス画面を表示している前記端末装置に、前記処理に関連する情報を表示するよう前記制御部が制御する、請求項１記載の画像処理装置。
【請求項３】
前記端末装置が複数接続されている場合に、前記処理の実行指示が入力された際のアカウントで認証されているユーザインターフェイス画面を表示している前記複数の端末装置の内、最後に操作された端末装置に、前記処理に関連する情報を表示するよう前記制御部が制御する、請求項２記載の画像処理装置。
【請求項４】
前記端末装置が複数接続されている場合に、前記処理の実行指示が入力された際のアカウントで認証されているユーザインターフェイス画面を表示している前記複数の端末装置の内、最後に操作されてから予め定められた所定の時間が経過していない端末装置に、前記処理に関連する情報を表示するよう前記制御部が制御する、請求項２記載の画像処理装置。
【請求項５】
利用者が直接操作していない端末装置のユーザインターフェイス画面を、利用者が直接操作している端末装置に転送する、ユーザインターフェイス画面転送手段、を更に具え、
前記第二の端末装置に、前記第一の端末装置のユーザインターフェイス画面が転送されている場合に、前記第二の端末装置に前記処理に関連する情報を表示するよう、前記制御手段が制御する、請求項１記載の画像処理装置。
【請求項６】
接続されている端末装置の中から、少なくとも一つの端末装置を選択する入力を受け付ける、端末装置選択受付手段を更に具え、
利用者によって選択された端末装置に前記処理に関連する情報を表示するよう、前記制御手段が制御する、請求項１から５記載の画像処理装置。
【請求項７】
請求項１から６いずれか記載の画像処理装置と、前記画像処理装置とネットワークを介して接続されている少なくとも一つの端末装置を具え、
前記画像処理装置が、更にユーザインターフェイス画面が表示される表示手段を具えている、画像処理システム。
【請求項８】
請求項１から６いずれか記載の画像処理装置と、複数の端末装置を具え、
前記画像処理装置及び前記複数の端末装置がネットワークを介して接続されている、画像処理システム。
【請求項９】
ネットワークを介した端末装置からの接続を受け付けるステップと、
ユーザインターフェイス画面を生成するステップと、
画像処理装置に接続されている端末装置の情報を取得するステップと、
処理の実行指示の入力操作がなされた前記端末装置である第一の端末装置とは異なる、第二の端末装置に、前記処理に関連する情報を表示するステップと、
をコンピュータに実行させるためのプログラム。
【発明の詳細な説明】
【技術分野】
【０００１】
本発明は、画像処理装置、画像処理システム及びプログラムに関する。
【背景技術】
【０００２】
下記特許文献１には、ユーザによる指示を受け付けるための複数種類のユーザインターフェースと、前記複数種類のユーザインターフェースのいずれか１つに入力された認証情報を受け付け、前記認証情報に基づいてユーザを認証する認証手段と、前記複数種類のユーザインターフェースのいずれか１つに入力された設定に従って複数種類の処理の少なくとも１つを実行する処理実行手段と、前記処理実行手段により実行される処理が、外部からデータが入力されるデータ入力処理の場合、前記入力されたデータを前記認証されたユーザのユーザ識別情報と関連付けた第１関連付データを記憶する第１関連付データ記憶手段と、前記複数種類のユーザインターフェースそれぞれに、前記入力されたデータに対して実行する処理を関連付けた第２関連付データを記憶する第２関連付データ記憶手段と、前記認証手段による認証に応じて、前記認証されたユーザのユーザ識別情報と前記第１関連付データによって関連付けられたデータが記憶されている場合、前記複数種類のユーザインターフェースのうち前記認証手段による認証に用いられた認証情報が受け付けられたユーザインターフェースと前記第２関連付データによって関連付けられた処理を前記処理実行手段に実行させるための設定を受け付けるための画面を決定する決定手段と、を備えた画像処理装置、が開示されている。
【先行技術文献】
【特許文献】
【０００３】
【特許文献１】特開２０１０−  ６８２４２号公報
【発明の概要】
【発明が解決しようとする課題】
【０００４】
本発明は、利用者が処理の実行を指示した際に用いていた端末装置又は画像処理装置を用いなくとも、当該処理に関連する画像処理装置からの通知を確認することが可能な画像処理装置、画像処理システム及びプログラムの提供を目的とする。
【課題を解決するための手段】
【０００５】
［画像処理装置］
請求項１に係る本発明は、ネットワークを介した端末装置からの接続を受け付ける接続受付手段と、
ユーザインターフェイス画面を生成するユーザインターフェイス画面生成手段と、
接続されている端末装置及び前記端末装置から実行指示を受けた処理に関する情報を取得する情報取得手段と、
処理の実行指示の入力操作がなされた前記端末装置である第一の端末装置とは異なる、第二の端末装置のユーザインターフェイス画面に、前記処理に関連する情報を表示するよう制御する、制御手段と、
を具えた画像処理装置である。
【０００６】
請求項２に係る本発明は、前記情報取得手段が、更に利用者のアカウントの認証情報を取得するものであり、
前記処理の実行指示が入力された際のアカウントで認証されているユーザインターフェイス画面を表示している前記端末装置に、前記処理に関連する情報を表示するよう前記制御部が制御する、請求項１記載の画像処理装置である。
【０００７】
請求項３に係る本発明は、前記端末装置が複数接続されている場合に、前記処理の実行指示が入力された際のアカウントで認証されているユーザインターフェイス画面を表示している前記複数の端末装置の内、最後に操作された端末装置に、前記処理に関連する情報を表示するよう前記制御部が制御する、請求項２記載の画像処理装置である。
【０００８】
請求項４に係る本発明は、前記端末装置が複数接続されている場合に、前記処理の実行指示が入力された際のアカウントで認証されているユーザインターフェイス画面を表示している前記複数の端末装置の内、最後に操作されてから予め定められた所定の時間が経過していない端末装置に、前記処理に関連する情報を表示するよう前記制御部が制御する、請求項２記載の画像処理装置である。
【０００９】
請求項５に係る本発明は、利用者が直接操作していない端末装置のユーザインターフェイス画面を、利用者が直接操作している端末装置に転送する、ユーザインターフェイス画面転送手段、を更に具え、
前記第二の端末装置に、前記第一の端末装置のユーザインターフェイス画面が転送されている場合に、前記第二の端末装置に前記処理に関連する情報を表示するよう、前記制御手段が制御する、請求項１記載の画像処理装置である。
【００１０】
請求項６に係る本発明は、接続されている端末装置の中から、少なくとも一つの端末装置を選択する入力を受け付ける、端末装置選択受付手段を更に具え、
利用者によって選択された端末装置に前記処理に関連する情報を表示するよう、前記制御手段が制御する、請求項１から５記載の画像処理装置である。
【００１１】
［画像処理システム］
請求項７に係る本発明は、請求項１から６いずれか記載の画像処理装置と、前記画像処理装置とネットワークを介して接続されている少なくとも一つの端末装置を具え、
前記画像処理装置が、更にユーザインターフェイス画面が表示される表示手段を具えている、画像処理システムである。
【００１２】
請求項８に係る本発明は、請求項１から６いずれか記載の画像処理装置と、複数の端末装置を具え、
前記画像処理装置及び前記複数の端末装置がネットワークを介して接続されている、画像処理システムである。
【００１３】
［プログラム］
請求項９に係る本発明は、ネットワークを介した端末装置からの接続を受け付けるステップと、
ユーザインターフェイス画面を生成するステップと、
画像処理装置に接続されている端末装置の情報を取得するステップと、
処理の実行指示の入力操作がなされた前記端末装置である第一の端末装置とは異なる、第二の端末装置に、前記処理に関連する情報を表示するステップと、
をコンピュータに実行させるためのプログラムである。
【発明の効果】
【００１４】
請求項１に係る本発明によれば、利用者は、処理の実行を指示した際に用いた端末装置又は画像処理装置を用いなくとも、当該処理に関連する画像処理装置からの通知を確認することができる。
【００１５】
請求項２に係る本発明によれば、利用者は、処理の実行を指示した際のアカウントで認証しているユーザインターフェイスであれば、当該処理の実行を指示した際に用いた端末装置又は画像処理装置であるかどうかに関わらず、当該処理に関連する画像処理装置からの通知を確認することができる。
【００１６】
請求項３に係る本発明によれば、処理に関連する情報の通知のために利用するネットワークの帯域を低減させつつ、利用者が操作中である可能性が高い端末装置に対して、処理に関連する情報を通知することができる。
【００１７】
請求項４に係る本発明によれば、処理に関連する情報の通知のために消費されるネットワークの帯域幅を低減させつつ、利用者が操作中である可能性が高い端末装置に対して、処理に関連する情報を通知することができる。
【００１８】
請求項５に係る本発明によれば、利用者は、リモート操作ホスト端末から実行を指示された処理に関連する画像処理装置からの通知を、リモート操作ゲスト端末で確認することができる。
【００１９】
請求項６に係る本発明によれば、利用者が選択した任意の端末装置に対して処理に関連する情報を通知することができる。
【００２０】
請求項７に係る本発明によれば、画像処理装置が具える表示手段から実行を指示された処理に関連する情報に関して、利用者はネットワークを介して画像処理装置に接続されている端末装置を用いて、画像処理装置からの通知を確認することができる。
【００２１】
請求項８に係る本発明によれば、処理の実行を指示した際に用いた端末装置以外の端末装置を用いて、利用者は画像処理装置からの通知を確認することができる。
【００２２】
請求項９に係る本発明によれば、画像処理装置の利用者は、処理の実行を指示した際に用いた端末装置又は画像処理装置を用いなくとも、当該処理に関連する画像処理装置からの通知を確認することができる。
【図面の簡単な説明】
【００２３】
【図１】本発明の実施形態に係る画像読取システムのシステム構成を示す概念図である。
【図２】本発明の実施形態に係る画像処理装置１０の機能構成を示すブロック図である。
【図３】実施例１に係る画像読取システムのシステム構成を示す概念図である。
【図４】実施例１に係る画像処理装置２０の機能構成を示すブロック図である。
【図５】実施例１に係る画像処理装置２０の動作を説明するためのフローチャートである。
【図６】実施例２に係る画像処理装置３０の機能構成を示すブロック図である。
【図７】実施例２に係る画像処理装置３０の動作を説明するためのフローチャートである。
【図８】実施例３に係る画像処理装置４０の機能構成を示すブロック図である。
【図９】実施例３に係る画像処理装置４０の動作を説明するためのフローチャートである。
【発明を実施するための形態】
【００２４】
図１は、本発明の実施形態に係る画像処理システムのシステム構成を示す図である。本実施形態に係る画像処理システムは、画像処理装置１０と、画像処理装置１０とネットワーク５０を介して接続されている少なくとも一つの端末装置５１により構成されている。
【００２５】
端末装置５１の例としては、専用の端末でも良く、特定のプログラムを実装することで、画像処理装置１０を操作するためのユーザインターフェイス画面の表示が可能となるように構成された、各種パーソナルコンピュータ（デスクトップ型、ノート型、タブレット型等）、スマートフォン等でも良い。
【００２６】
図２は、画像処理装置１０の機能構成を示すブロック図である。画像処理装置１０は、接続受付部１１と、ユーザインターフェイス画面生成部１２と、情報取得部１３と、制御部１４を具え、更に、画像処理装置１０を操作するためローカルパネル１５を具えている。
【００２７】
接続受付部１１は、ネットワーク５０を介した端末装置５１からの接続を受け付ける。
【００２８】
ユーザインターフェイス画面生成部１２は、端末装置５１及びローカルパネル１５に表示される、利用者が画像処理装置を操作するための各ユーザインターフェイス画面を生成する。
【００２９】
情報取得部１３は、接続受付部１１に接続されている端末装置及び端末装置から実行指示を受けたジョブに関する情報を取得する。取得する端末装置及びジョブの情報としては、端末装置の種別、端末装置で利用中のユーザインターフェイス画面に関する情報（最後に操作を受け付けた時刻、画面の状態等）、端末装置から投入された各ジョブに関する情報（ジョブの状態、エラー）、リモート接続に関する情報（リモート操作のホスト・ゲスト状態）等がある。
【００３０】
取得された情報をデータとして格納する方法としては種々の周知の方法が利用でき、表１にテーブル例を示した。表１では、接続されている端末装置毎に一意の値が設定される「ＵＩ識別子」をキーとしている。ＵＩ識別子ごとに、接続されている端末装置の種別、ログインしているアカウント、リモート操作に関する状態、最後に操作を受け付けた時刻、ユーザインターフェイス画面の状態、ジョブに関する情報（実行中のジョブの状態、実行中のジョブのＩＤ、実行中のジョブが投入された際のリモート操作ゲスト端末のＵＩ識別子、実行中のジョブが占有している画像処理装置のリソース）、操作中のユーザインターフェイスに関する情報（表１においては、それぞれ、「ＵＩ種別」、「ログインユーザ」、「他ＵＩにリモート登録されているか」、「ユーザ直近の操作時刻履歴」、「画面状態」、「ジョブ状態」、「ジョブＩＤ」、「リモート登録元経由ジョブを投入するか」、「占有リソース」、「ＵＩ属性」）が並んでいる。
【００３１】
【表１】
2018061108.tif 000003
【００３２】
また、表２に示したように、投入されたジョブ毎に一意の値が設定される「ジョブＩＤ」をキーとしてジョブに関する情報を格納しても良い。表２では、ジョブ毎に、当該ジョブの投入を行ったアカウント（以下、「ジョブオーナーアカウント」ともいう）、ジョブの投入が行われた端末装置のＵＩ識別子、ジョブの投入が行われた端末装置をリモート操作していたリモート操作ゲスト端末のＵＩ識別子、が並んでいる。
【００３３】
【表２】
2018061108.tif 000004
【００３４】
制御部１４は、画像処理装置に投入されたジョブに関する進捗状況等の情報を、当該ジョブの投入を行った装置（画像処理装置１０のローカルパネル１５又は端末装置５１、以下、両者を区別せず「ジョブ投入装置」ともいう）とは異なる端末装置５１のユーザインターフェイス画面に、当該ジョブに関連する情報を表示するようにユーザインターフェイス画面生成部１２を制御する。以下、ジョブ投入装置としての端末装置５１を「端末装置５１Ａ」、ジョブ投入装置ではない端末装置５１を「端末装置５１Ｂ」とも表現する。
【００３５】
また、制御部１４は、端末装置５１Ｂに加えて、ジョブ投入装置にジョブに関連する情報を表示するようにしても良い。
【００３６】
本実施形態に係る画像処理装置１０を利用することにより、例えば、ジョブ投入装置から投入されたジョブに関連する情報を端末装置５１Ｂを介して利用者に通知することが可能となる。そのため、利用者は端末装置５１Ｂを用いて当該ジョブに関する進捗状況等を確認することが可能となる。
【００３７】
なお、本実施形態に係る画像処理装置１０においては、接続されている端末装置５１の中から、少なくとも一つの端末装置を選択する入力を受け付ける、端末装置選択受付部を更に具え、制御部１４が端末装置選択受付部に入力された端末装置５１（以下、「端末装置５１Ｃ」とも表現する）にもジョブに関連する情報を表示するするようにしても良い。
【００３８】
その場合、利用者は、自らが予め選択しておいた端末装置５１Ｃを用いて、当該ジョブに関連する通知を確認することができる。
【００３９】
また、各端末装置に表示される（又は表示された）ジョブに関連する情報の通知記録を保存する、通知記録保存部を更に具えていても良い。その場合、通知記録の保存のためのデータ量を低減するために、一件一件の通知ごとに一意の値が設定される通知ＩＤをキーとして、通知記録を保存することが好ましい。表３に例を示した。
【００４０】
【表３】
2018061108.tif 000005
【実施例１】
【００４１】
次に、本発明の実施例１として、利用者に対する認証を行うように構成されている場合について説明する。図３は、実施例１に係る画像処理システムのシステム構成を示す図である。なお、本実施例に係る画像処理システムは、利用者に対する認証を行うように構成されている点以外については実施形態に準ずるため、以下においては実施形態との共通部分については同じ符号を使い説明する。
【００４２】
本実施例に係る画像処理システムは、画像処理装置２０と、少なくとも一つの端末装置５１と、ユーザ情報管理サーバ５２及び認証サーバ５３により構成されており、端末装置５１、ユーザ情報管理サーバ５２及び認証サーバ５３は、ネットワーク５０を介して画像処理装置２０と接続されている。
【００４３】
ユーザ情報管理サーバ５２は、画像処理装置２０へログインするアカウントの情報を管理し、認証サーバ５３は、画像処理装置２０へのログインの認証を行う。認証方法としてはＩＣカードや磁気カード等を画像処理装置２０と接続されたカードリーダで読み取る方法や、アカウントＩＤ及びパスワードを入力する等の周知の認証方法が利用可能である。
【００４４】
図４は、画像処理装置２０の機能構成を示すブロック図である。画像処理装置２０は画像処理装置１０と同様に、接続受付部１１と、ユーザインターフェイス画面生成部１２と、ローカルパネル１５を具えており、更に、情報取得部２３及び制御部２４を具えている。
【００４５】
情報取得部２３は情報取得部１３と同様に、接続受付部１１に接続されている端末装置５１及び端末装置５１から実行指示を受けたジョブに関する情報を取得するが、加えて、画像処理装置２０にログインしているアカウントに関する情報を取得する。
【００４６】
制御部２４は、画像処理装置に投入されたジョブに関する進捗状況等の情報を、当該ジョブの投入を行ったアカウント（以下、「ジョブオーナーアカウント」ともいう）によってログインされているユーザインターフェイス画面に、当該ジョブに関連する情報を表示するようにユーザインターフェイス画面生成部１２を制御する（以下、ジョブオーナーカウントによってログインされているユーザインターフェイス画面を表示している端末装置５１を「端末装置５１Ｌ」ともいう）。なお、制御部２４は制御部１４と同様に、ジョブ投入装置が端末装置５１Ｌに該当しない場合であっても、ジョブ投入装置にジョブに関連する情報を表示するようにしても良い。
【００４７】
本実施例に係る画像処理装置２０を利用することにより、ジョブ投入装置から投入されたジョブに関連する情報を、ジョブオーナーアカウントで利用中の端末装置５１Ｌを介して利用者に通知することが可能となる。そのため、利用者は、ジョブ投入装置を直接参照しなくとも、任意の端末装置５１Ｌを用いて当該ジョブに関する進捗状況等を確認することが可能となる。
【００４８】
なお、本実施例に係る画像処理装置２０においては、画像処理装置１０と同様に、端末装置選択受付部を更に具え、制御部２４が端末装置選択受付部に設定されている端末装置５１Ｃにもジョブに関連する情報を表示するするようにしても良い。
【００４９】
その場合、利用者は、端末装置５１Ｌだけでなく、自らが予め選択しておいた端末装置５１Ｃを用いて、当該ジョブに関連する通知を確認することができるようになり、また、画像処理装置２０にログインせずに利用する未認証の利用者であっても、ジョブに関連する情報を、自らが選択した端末装置５１Ｃを用いて確認することが可能となる。
【００５０】
次に、画像処理装置２０の動作の例を図５のフローチャートを参照しながら説明する。
【００５１】
ステップＳ１において、ジョブ投入装置から画像処理装置２０がジョブを受け付けると、ステップＳ２へ進む。
【００５２】
ステップＳ２では、当該ジョブのジョブオーナーアカウントが画像処理装置２０にログインしているユーザであるかどうかが判定され、ＹＥＳの場合はステップＳ３へ、ＮＯの場合はステップＳ７へ進む。
【００５３】
ステップＳ３では、ネットワークを介して接続受付部１１に接続されている端末装置５１の中から、ジョブオーナーアカウントによって利用されている端末装置５１Ｌが特定され、ステップＳ４へ進む。
【００５４】
ステップＳ４では、端末装置選択受付部において端末装置５１Ｃの入力がなされているかどうかが判定され、ＹＥＳの場合はステップＳ５へ、ＮＯの場合は、ステップＳ６へ進む。
【００５５】
ステップＳ５では、「ジョブ投入装置」、「端末装置５１Ｌ」、「端末装置５１Ｃ」に対して、ジョブ関連情報が送信されて、終了となる。
【００５６】
ステップ６では、「ジョブ投入装置」、「端末装置５１Ｌ」に対してジョブ関連情報が送信されて、終了となる。
【００５７】
ステップＳ７では、端末装置選択受付部において端末装置５１Ｃの入力がなされているかどうかが判定され、ＹＥＳの場合はステップＳ８へ、ＮＯの場合は、ステップＳ９へ進む。
【００５８】
ステップＳ８では、「ジョブ投入装置」、「端末装置５１Ｃ」に対して、ジョブ関連情報が送信されて、終了となる。
【００５９】
ステップＳ９では、「ジョブ投入装置」に対してジョブ関連情報が送信されて、終了となる。
【００６０】
なお、本実施例においては、ユーザ情報管理サーバ５３及び認証サーバ５４が、画像処理装置１０とは別体に設けられて、画像処理装置２０とネットワーク接続されたものとして説明したが、本発明の実施に当たっては、画像処理装置２０がそれぞれのサーバ機能を具えるように成されていれば、装置としてのユーザ情報管理サーバ５３及び認証サーバ５４は不要である。
【実施例２】
【００６１】
上記実施例１に係る画像処理装置２０の説明においては、ジョブオーナーアカウントで利用中の端末装置５１Ｌ全てに対して、ジョブに関連する情報が送信されるものとしたが、ジョブに関連する情報が送信される装置を更に制限しても良い。以下、その一例を実施例２として説明する。
【００６２】
図６は、実施例２に係る画像処理装置３０の機能構成を示すブロック図である。画像処理装置３０は、情報取得部２３に替えて情報取得部３３を、制御部２４に替えて制御部３４を、それぞれ具えている他は、実施例１に係る画像処理装置２０と同等であり、接続受付部１１と、ユーザインターフェイス画面生成部１２と、ローカルパネル１５を具えている。
【００６３】
情報取得部３３は情報取得部２３と同様に、接続受付部１１に接続されている端末装置５１に関する情報、端末装置５１から実行指示を受けたジョブに関する情報、及び、画像処理装置３０にログインしているアカウントに関する情報を取得するが、端末装置５１に関する情報として、各端末のユーザインターフェイスが操作された時刻に関する情報も含めて取得する。
【００６４】
制御部３４は、ジョブオーナーカウントによって利用されている端末装置５１Ｌの内、操作中であると判定した端末装置（以下、「端末装置５１ＬＵ」ともいう）に、投入されたジョブに関連する情報を表示するよう、制御する。操作中であるかどうかの判定は、最後に各ユーザーインターフェイス画面が操作された時刻を基に行う。
【００６５】
判定方法としては、例えば、最後に操作された時刻が最も新しい端末装置を操作中であると判定する方法や、最後に操作された時刻が判定時あるいは通知時から所定の時間以内となる端末装置を操作中であると判定する方法等が挙げられる。
【００６６】
勿論これらの条件は組み合わせても構わない。例えば、所定の時間として１５分間とした場合、ジョブに関連する情報の通知時刻より、１５分間前以降に操作された端末装置５１Ｌが存在しない際には、最後に操作された時刻が最も新しい端末装置に５１Ｌに対して送信する、というように制御部３４に制御させることができる。
【００６７】
なお、制御部３４は、制御部１４、２４と同様に、ジョブ投入装置が端末装置５１ＬＵに該当しない場合でも、ジョブ投入装置にジョブに関連する情報を表示するように制御しても良い。
【００６８】
本実施例に係る画像処理装置３０を利用することにより、例えば、ジョブ投入装置から投入されたジョブに関連する情報を、ジョブオーナーが操作中である可能性が高い端末装置に表示させることが可能となる。また、ジョブオーナーアカウントで利用中の全ての端末装置５１Ｌに送信する場合と比べて、ジョブに関連する情報を送信するために消費されるネットワーク５０の帯域幅（通信路容量）を低減することができる。
【００６９】
なお、本実施例に係る画像処理装置３０においては、画像処理装置１０及び２０と同様に、端末装置選択受付部を更に具え、制御部３４が端末装置選択受付部に設定されている端末装置５１Ｃにもジョブに関連する情報を表示するするようにしても良い。
【００７０】
次に、画像処理装置３０の動作の例を図７のフローチャートを参照しながら説明する。
【００７１】
ステップＳ１において、ジョブ投入装置から画像処理装置３０がジョブを受け付けると、ステップＳ２へ進む。
【００７２】
ステップＳ２では、当該ジョブのジョブオーナーアカウントが画像処理装置３０にログインしているユーザであるかどうかが判定され、ＹＥＳの場合はステップＳ３へ、ＮＯの場合はステップＳ７へ進む。
【００７３】
ステップＳ３では、ネットワークを介して接続受付部１１に接続されている端末装置５１の中から、ジョブオーナーが操作中であると判定された端末装置５１ＬＵが特定され、ステップＳ４へ進む。
【００７４】
ステップＳ４では、端末装置選択受付部において端末装置５１Ｃの入力がなされているかどうかが判定され、ＹＥＳの場合はステップＳ５へ、ＮＯの場合は、ステップＳ６へ進む。
【００７５】
ステップＳ５では、「ジョブ投入装置」、「端末装置５１ＬＵ」、「端末装置５１Ｃ」に対して、ジョブ関連情報が送信されて、終了となる。
【００７６】
ステップ６では、「ジョブ投入装置」、「端末装置５１ＬＵ」に対してジョブ関連情報が送信されて、終了となる。
【００７７】
ステップＳ７では、端末装置選択受付部において端末装置５１Ｃの入力がなされているかどうかが判定され、ＹＥＳの場合はステップＳ８へ、ＮＯの場合は、ステップＳ９へ進む。
【００７８】
ステップＳ８では、「ジョブ投入装置」、「端末装置５１Ｃ」に対して、ジョブ関連情報が送信されて、終了となる。
【００７９】
ステップＳ９では、「ジョブ投入装置」に対してジョブ関連情報が送信されて、終了となる。
【実施例３】
【００８０】
次に、本発明の実施例３として、特定の端末装置又は画像処理装置が具えるローカルパネルに表示するためのユーザインターフェイス画面が、別の端末装置の画面に転送されて、利用者が当該別の端末装置を利用して転送されたユーザインターフェイスを操作できるように構成されている場合の一例について説明する。
【００８１】
図８は、本実施例に係る画像処理装置４０の機能構成を示すブロック図である。画像処理装置４０は、画像処理装置３０と同様に、接続受付部１１と、ユーザインターフェイス画面生成部１２と、ローカルパネル１５を具えており、更に、ユーザインターフェイス画面転送部１６と、情報取得部４３と、制御部４４を具えている。
【００８２】
ユーザインターフェイス画面転送部１６は、特定の端末装置に表示するためにユーザインターフェイス画面生成部１２によって生成されたユーザインターフェイス画面を、他の端末装置に転送する。利用者は、転送先の端末装置を介して、転送されたユーザインターフェイス画面に対する操作を行うことができる。
【００８３】
例えば端末装置としてのタブレット型パーソナルコンピュータＡに表示するために生成されたユーザインターフェイス画面を、タブレット型パーソナルコンピュータＡとは異なる、デスクトップ型パーソナルコンピュータＢに転送する。その場合、利用者はデスクトップ型パーソナルコンピュータＢを用いて、タブレット型パーソナルコンピュータＡ用のユーザインターフェイス画面に対する操作を行うことが可能となる。
【００８４】
以下、転送されたユーザインターフェイス画面を操作する側の端末装置を「リモート操作ゲスト端末」、リモート操作ゲスト端末にユーザインターフェイス画面が転送されている側の端末装置を「リモート操作ホスト端末」、リモート操作ゲスト端末を用いて、転送されたユーザインターフェイス画面を操作することを「リモート操作」、ともいう。
【００８５】
情報取得部４３は情報取得部３３と同様に、接続受付部１１に接続されている端末装置５１に関する情報（ユーザインターフェイスが操作された時刻に関する情報を含む）、端末装置５１から実行指示を受けたジョブに関する情報、及び、画像処理装置３０にログインしているアカウントに関する情報を取得するが、加えて、リモート操作に関する情報を取得する。
【００８６】
制御部４４は、制御部３４と同様に、ジョブオーナーカウントによって利用されている端末装置５１Ｌの内、操作中であると判定された端末装置５１ＬＵに対して、投入されたジョブに関連する情報を表示するように制御する。加えて、端末装置ＬＵがリモート操作されている場合は、当該端末装置ＬＵのリモート操作ゲスト端末に対しても、ジョブに関連する情報を表示するように制御する。なお、制御部４４は、制御部１４、２４、３４と同様に、ジョブ投入装置にもジョブに関連する情報を表示するように制御しても良い。
【００８７】
本実施例に係る画像処理装置４０を利用することにより、投入されたジョブに関連する情報を、ジョブオーナーアカウントで操作中である可能性が高い端末装置５１ＬＵだけでなく、利用者が直接的に操作しているリモート操作ゲスト端末に対しても通知することが可能となる。
【００８８】
リモート操作ゲスト端末を操作している利用者は、転送されている端末装置５１ＬＵ用のユーザインターフェイス画面から当該ジョブ関連情報を当然確認することが可能であるが、常に転送されたユーザインターフェイス画面を注視しているとは限らない。リモート操作ゲスト端末用のユーザインターフェイス画面に直接的にジョブ関連情報が表示されることで、利用者はジョブ関連情報が通知されていることに更に気づきやすくなる。
【００８９】
なお、本実施例に係る画像処理装置４０においては、画像処理装置１０、２０及び３０と同様に、端末装置選択受付部を更に具え、制御部２４が端末装置選択受付部に入力された端末装置５１Ｃにもジョブに関連する情報を表示するするようにしても良い。
【００９０】
次に、画像処理装置４０の動作の例を、図９のフローチャートを参照しながら説明する。
【００９１】
ステップＳ１において、ジョブ投入装置から画像処理装置４０がジョブを受け付けると、ステップＳ２へ進む。
【００９２】
ステップＳ２では、当該ジョブのジョブオーナーアカウントが画像処理装置４０にログインしているユーザであるかどうかが判定され、ＹＥＳの場合はステップＳ３へ、ＮＯの場合はステップＳ１１へ進む。
【００９３】
ステップＳ３では、ネットワークを介して接続受付部１１に接続されている端末装置５１の中から、ジョブオーナーが操作中であると判定された端末装置５１ＬＵが特定され、ステップＳ４へ進む。
【００９４】
ステップＳ４では、端末装置選択受付部において端末装置５１Ｃの入力がなされているかどうかが判定され、ＹＥＳの場合はステップＳ５へ、ＮＯの場合は、ステップＳ８へ進む。
【００９５】
ステップＳ５では、ジョブ投入装置、端末装置５１ＬＵ、端末装置５１Ｃが、リモート操作ホスト端末であるかどうかどうかが判定され、ＹＥＳの場合は、ステップＳ６へ、ＮＯの場合はステップＳ７へ進む。
【００９６】
ステップＳ６では、「ジョブ投入装置」、「端末装置５１ＬＵ」、「端末装置５１Ｃ」、及び、端末装置５１ＬＵをリモート操作しているリモート操作ゲスト端末に対して、ジョブ関連情報が送信されて、終了となる。
【００９７】
ステップＳ７では、「ジョブ投入装置」、「端末装置５１ＬＵ」、「端末装置５１Ｃ」に対して、ジョブ関連情報が送信されて、終了となる。
【００９８】
ステップＳ８では、ジョブ投入装置、端末装置５１ＬＵが、リモート操作ホスト端末であるかどうかどうかが判定され、ＹＥＳの場合は、ステップＳ９へ、ＮＯの場合はステップＳ１０へ進む。
【００９９】
ステップＳ９では、「ジョブ投入装置」、「端末装置５１ＬＵ」、及び、リモート操作ゲスト端末に対してジョブ関連情報が送信されて、終了となる。
【０１００】
ステップＳ１０では、「ジョブ投入装置」、「端末装置５１ＬＵ」に対してジョブ関連情報が送信されて、終了となる。
【０１０１】
ステップＳ１１では、端末装置選択受付部において端末装置５１Ｃの入力がなされているかどうかが判定され、ＹＥＳの場合はステップＳ１２へ、ＮＯの場合は、ステップＳ１５へ進む。
【０１０２】
ステップＳ１２では、ジョブ投入装置、端末装置５１Ｃが、リモート操作ホスト端末であるかどうかどうかが判定され、ＹＥＳの場合は、ステップＳ１３へ、ＮＯの場合はステップＳ１４へ進む。
【０１０３】
ステップＳ１３では、「ジョブ投入装置」、「端末装置５１Ｃ」、及び、リモート操作ゲスト端末に対して、ジョブ関連情報が送信されて、終了となる。
【０１０４】
ステップＳ１４では、「ジョブ投入装置」、「端末装置５１Ｃ」に対して、ジョブ関連情報が送信されて、終了となる。
【０１０５】
ステップＳ１５では、ジョブ投入装置がリモート操作ホスト端末であるかどうかどうかが判定され、ＹＥＳの場合は、ステップＳ１６へ、ＮＯの場合はステップＳ１７へ進む。
【０１０６】
ステップＳ１６では、「ジョブ投入装置」、及び、リモート操作ゲスト端末に対して、ジョブ関連情報が送信されて、終了となる。
【０１０７】
ステップＳ１７では、「ジョブ投入装置」に対してジョブ関連情報が送信されて、終了となる。
【産業上の利用可能性】
【０１０８】
以上で説明をしたように、本発明は画像処理装置、画像処理システム及びプログラムに適用することができる。
【符号の説明】
【０１０９】
１０、２０、３０、４０    画像処理装置
１１    接続受付部
１２    ユーザインターフェイス画面生成部
１３、２３、３３、４３    情報取得部
１４、２４、３４、４４    制御部
１５    ローカルパネル
１６    ユーザインターフェイス画面転送部
５０    ネットワーク
５１    端末装置
５２    ユーザ情報管理サーバ
５３    認証サーバ
【図１】
2018061108.tif 000006
【図２】
2018061108.tif 000007
【図３】
2018061108.tif 000008
【図４】
2018061108.tif 000009
【図５】
2018061108.tif 000010
【図６】
2018061108.tif 000011
【図７】
2018061108.tif 000012
【図８】
2018061108.tif 000013
【図９】
2018061108.tif 000014